(57)【要約】      （修正有）【課題】阻止部を容易に装入し、複数のカードに対するコンパチビリティを有するカードコネクタを提供すること。【解決手段】本考案は、一種の電子カード垂れを収容でき、又、多種の電子カードに対するコンパチビリティを有するカードコネクタ１に関する。該カードコネクタは、複数のカード収納溝１１，１２，１３，１４が形成される絶縁本体１０と、電子カードに接触する端子グループ２０と、端子グループを収容する複数の通孔が形成される阻止部３０と、バネ体４０と、を備える。前記阻止部には、絶縁本体に固着される二対の鉤部が設けられる。該鉤部は、外向きに折り曲げられ、Ｌ字形状をしている。又、該鉤部は、小さくて、弾性的に傾斜できる。【選択図】図２
0003115049.tif 000002
【実用新案登録請求の範囲】
【請求項１】
一種の電子カード垂れを収容でき、又、多種の電子カードを共存できるカードコネクタにおいて、該カードコネクタは、 
少なくとも一つのカード収納溝が形成される絶縁本体と、
電子カードに接触する端子グループと、
端子グループを収容する複数の通孔が形成された阻止部と、
バネ体と、を備え、
前記阻止部には、絶縁本体に固着される少なくとも一対の鉤部が設けられることを特徴とするカードコネクタ。
【請求項２】
前記阻止部には一対のアーム部が両端に設けられ、各アーム部には少なくとも一つの鉤部が設置されることを特徴とする、請求項１に記載のカードコネクタ。
【請求項３】
前記鉤部は、外向きに折り曲げられ、Ｌ字形状を呈することを特徴とする、請求項２に記載のカードコネクタ。
【請求項４】
前記絶縁本体には、係合部が設けられ、前記鉤部が前記係合部に係合することを特徴とする、請求項３に記載のカードコネクタ。
【請求項５】
前記鉤部は、小さくて、弾性的に傾斜できることを特徴とする、請求項３に記載のカードコネクタ。
【請求項６】
前記阻止部の一対のアーム部には、一対の導入溝が形成される特徴とする、請求項２に記載のカードコネクタ。
【請求項７】
前記絶縁本体は、前記一対の導入溝内に移動する一対の導入部片が設けられる側壁を有することを特徴とする、請求項６に記載のカードコネクタ。
【請求項８】
前記阻止部には、一対のバネ体を収容する一対の凹孔が形成されることを特徴とする、請求項１に記載のカードコネクタ。
【請求項９】
前記絶縁本体には、一対のバネ体を固着する一対の固定柱が設置されることを特徴とする、請求項８に記載のカードコネクタ。
【考案の詳細な説明】
【技術分野】
【０００１】
本考案はカードコネクタに関し、導電端子を保護でき、且つ容易に取り付けられる阻止部を有するカードコネクタに関する。
【背景技術】
【０００２】
一種のＣＦカードを収納する電気コネクタは、開口が形成された絶縁本体と、該絶縁本体に取り付けられる阻止部と、一対のバネ体と、阻止部に挿入される複数の導電端子と、を備える。絶縁本体には、バネ体に対応する一対の凹所が形成される。阻止部には、前記開口から装入されて、絶縁本体に当接する一対の矩形の当接部が設けられ、導電端子に対応する複数の通孔が形成される。バネ体は、一端が、当接部に連接し、他端が、対応する凹所内に嵌め込まれる。ＣＦカードが、該電気コネクタ内に挿入されると、阻止部は押圧され、バネ体は縮む。同時に、導電端子が通孔から突出してＣＦカードに接触する。すると、ＣＦカードが電気接続される。こうした電気コネクタの構造は従来技術文献に記載されている（例えば、特許文献１参照）。
【特許文献１】米国特許第６，１３９，３３８号明細書
【０００３】
ところが、該電気コネクタの矩形形状をした当接部は、体積が大きいから、前記開口から装入し難い。又、該電気コネクタに挿入するカードはＣＦカードだけである。他のカードを使用したい場合には他のコネクタを使用しなければならないため、極めて不便である。
【０００４】
従って、本考案は前記の欠点を克服するために一種の新たなカードコネクタを構成する。
【考案の開示】
【考案が解決しようとする課題】
【０００５】
本考案の目的は、このような従来の問題点を解決したカードコネクタを提供することである。すなわち、従来技術とは異なり、阻止部を容易に装入し、複数のカードを共存できるカードコネクタを得られるようにすることである。
【課題を解決するための手段】
【０００６】
本考案はカードコネクタに関し、該カードコネクタは、一種の電子カード垂れを収容でき、又、多種の電子カードを共存できる。該カードコネクタは、複数のカード収納溝が形成される絶縁本体と、電子カードに接触する端子グループと、端子グループを収容する複数の通孔が形成された阻止部と、バネ体と、を備える。前記阻止部には、絶縁本体に固着される二対の鉤部が設けられる。該鉤部は、外向きに折り曲げられ、Ｌ字形状になる。又、該鉤部は、小さくて、弾性的に傾斜できる。
【考案の効果】
【０００７】
従来技術に比べると、本考案は以下の長所がある。絶縁本体に固着される阻止部は、小さくて弾性的に傾斜できる鉤部によって、容易に絶縁本体に装入される。又、一種の電子カード垂れを収容できるとともに、多種の電子カードを共存できる。このように、該カードコネクタを使用できるので極めて便利である。
【考案を実施するための最良の形態】
【０００８】
図１乃至図４において、一種の電子カード垂れを収容でき、又、多種の電子カードを共存できるカードコネクタ１は、絶縁本体１０と、阻止部３０と、バネ体４０と、ＣＦ端子グループ２０と、ＳＤ／ＭＭＣ端子グループと、ＭＳ端子グループと、ＸＤ端子グループと、を備える。
【０００９】
図２に示すように、絶縁本体１は、上部に形成されるＣＦカード収納溝１１と、ＣＦカード収納溝１１の下に配置されるＳＤ／ＭＭＣカード収納溝１２と、ＳＤ／ＭＭＣカード収納溝１２の傍に並列的な態様で形成されたＭＳカード収納溝１３と、ＸＤカード収納溝１４と、を備える。その中で、ＸＤカード収納溝１４が、ＭＳカード収納溝１３の下に、位置する。各種の端子グループが、対応するカード収納溝に収容される。
【００１０】
図２、図５及び図７において、ＣＦカード収納溝１１は、上壁１１０と、一対の側壁１１１と、隔板１１４と、後壁１１５と、によって包囲される。ＣＦカード収納溝１１と、ＳＤ／ＭＭＣカード収納溝１２と、は隔板１１４によって隔てられる。側壁１１１には、一対の導入部片１１２が対称に設けられる。側壁１１１の末端には、係合部１１６が形成される。後壁１１５の内表面には、一対の固定柱１１７が、前へ突出する。
【００１１】
図４に示すように、ほぼ矩形の阻止部３０とバネ体４０と、によって、端子を保護する保護装置が構成される。阻止部３０には、対称に配置される一対の凹孔３３と、該一対の凹孔３３の間の複数の通孔３４と、が形成される。阻止部３０の両端は垂直に折れ曲がれることによって、一対のアーム部３１は対称に形成される。アーム部３１には、外向きに折り曲げられる２対のＬ字形状の鉤部３２が設けられる。各対の鉤部３２の間には、前記導入部片１１２に対応する導入溝３５が形成される。
【００１２】
図５乃至図８において、該カードコネクタ１は、取付時、阻止部３０が、収納溝から絶縁本体１０に挿入される。その時、鉤部３２が、弾性的に内側に傾斜し、導入部片１１２が、阻止部３０の導入溝３５内に移動する。阻止部３０が、予定の位置に到達すると、鉤部３２は、係合部１１６に係合する。鉤部３２は、小さいだけでなくて、弾性的に傾斜できる。その過程で、阻止部３０は、鉤部３２によって迅速に挿入し得る。
【００１３】
バネ体４０は、阻止部３０に固着される。バネ体４０の一端は、阻止部３０の凹孔３３に嵌め込まれ、他端は、絶縁本体１０の固定柱１１７に固着される。
【００１４】
ＣＦ端子グループ２０は、後壁１５から絶縁本体１０内に挿入される。ＣＦ端子グループ２０の挿入部２１は、阻止部３０の通孔３４内に収容されるがそこから突出しない。側壁１３は絶縁本体１０内に装入される。
【００１５】
図５乃至図８において、カードコネクタ１を使用する時、ＣＦカードは、両側が、導入部片１１２に沿って、ＣＦカード収納溝１１に挿入される。ＣＦカードの前端が、阻止部３０に接触する時、ＣＦカードを、押圧し続けると、阻止部３０が、後壁に向かって移動する。同時に、バネ体４０は、縮む。ＣＦカードが後壁に向かって移動することに従って、ＣＦ端子グループ２０の挿入部２１は、通孔３４を通り越してＣＦカードに接触する。このように、ＣＦカードはＣＦ端子グループ２０に電気接続される。ＣＦカードを抜き出す時、阻止部３０は、バネ体４０によって元の位置に戻され、ＣＦカードと、ＣＦ端子グループ２０と、の間の電気接続を終了する。
【００１６】
同じ原理で、ＳＤ／ＭＭＣカード、或いはＭＳカード、或いはＸＤカードが、対応する収納溝に挿入され、対応するＳＤ／ＭＭＣ端子グループ、或いはＭＳ端子グループ、或いはＸＤ端子グループに、電気接続する。
【００１７】
総じて、本考案の多数の特徴及び長所など、その構造及び機能が共に前述の記載により掲げられている。また前記の説明は、本考案に基づきなし得る細部の修正或は変更など、何れも本考案の請求範囲に属するものである。
【産業上の利用可能性】
【００１８】
本考案はカードコネクタに関し、特に、阻止部を容易に装入し、複数のカードに対するコンパチビリティを有するカードコネクタに適用可能である。
【図面の簡単な説明】
【００１９】
【図１】本考案のカードコネクタのＣＦカードが挿入される立体組立図である。
【図２】本考案のカードコネクタの第１角度の分解図である。
【図３】本考案のカードコネクタの第２角度の分解図である。
【図４】本考案のカードコネクタの保護装置の分解図である。
【図５】本考案のＣＦカードが挿入されないカードコネクタの図１のＡ−Ａの方向に沿っての断面図である。
【図６】本考案のＣＦカードが挿入されるカードコネクタの図１のＡ−Ａの方向に沿っての断面図である。
【図７】本考案のＣＦカードが挿入されないカードコネクタの図１のＢ−Ｂの方向に沿っての断面図である。
【図８】本考案のＣＦカードが挿入されるカードコネクタの図１のＡ−Ａの方向に沿っての断面図である。
【符号の説明】
【００２０】
１  カードコネクタ
１０  絶縁本体
１１  ＣＦカード収納溝
１２  ＳＤ／ＭＭＣカード収納溝
１３  ＭＳカード収納溝
１４  ＸＤカード収納溝
２０  ＣＦ端子グループ
２１  挿入部
３０  阻止部
３１  アーム部
３２  鉤部
３３  凹孔
３４  通孔
３５  導入溝
４０  バネ体
１１０  上壁
１１１  側壁
１１２  導入部片
１１４  隔板
１１５  後壁
１１６  係合部
１１７  固定柱
【図１】
0003115049.tif 000003
【図２】
0003115049.tif 000004
【図３】
0003115049.tif 000005
【図４】
0003115049.tif 000006
【図５】
0003115049.tif 000007
【図６】
0003115049.tif 000008
【図７】
0003115049.tif 000009
【図８】
0003115049.tif 000010